(57)【要約】【課題】経路探索時の交通機関の停留地の名称の入力を容易にする。【解決手段】経路探索サーバは、複数の停留地の名称を含む停留地情報を記憶する停留地情報記憶部と、ユーザ端末から受信した画像の文字認識を行ってテキストを取得する文字認識部と、前記停留地情報を参照し、前記テキストを名称に含む停留地を候補停留地として抽出する候補停留地抽出部と、前記候補停留地の情報を前記ユーザ端末へ送信する通信処理部と、前記ユーザ端末から、前記候補停留地が出発地又は到着地として指定され、前記出発地から前記到着地までの交通機関を利用した移動経路の検索要求を受け付け、前記検索要求に基づいて移動経路の検索を行う経路探索部と、を備える。【選択図】図１
2020094982.tif 000002
【特許請求の範囲】
【請求項１】
複数の停留地の名称を含む停留地情報を記憶する停留地情報記憶部と、
ユーザ端末から受信した画像の文字認識を行ってテキストを取得する文字認識部と、
前記停留地情報を参照し、前記テキストを名称に含む停留地を候補停留地として抽出する候補停留地抽出部と、
前記候補停留地の情報を前記ユーザ端末へ送信する通信処理部と、
前記ユーザ端末から、前記候補停留地が出発地又は到着地として指定され、前記出発地から前記到着地までの交通機関を利用した移動経路の検索要求を受け付け、前記検索要求に基づいて移動経路の検索を行う経路探索部と、
を備える経路探索サーバ。
【請求項２】
前記停留地情報は、各停留地に対応付けられた画像データを含み、
前記ユーザ端末から受信した画像と、前記画像データとを比較し、類似度を算出する画像比較部をさらに備え、
前記候補停留地抽出部は、前記ユーザ端末から受信した画像との類似度が所定値以上の画像データが対応付けられた停留地を候補停留地として抽出することを特徴とする請求項１に記載の経路探索サーバ。
【請求項３】
前記ユーザ端末から、前記候補停留地のうち出発地又は到着地としてユーザが選択した停留地を示す選択結果を受信し、前記ユーザ端末から受信した前記画像を、ユーザが選択した停留地の前記停留地情報に対応付けて登録する登録部をさらに備えることを特徴とする請求項２に記載の経路探索サーバ。
【請求項４】
前記候補停留地抽出部は、前記ユーザ端末から前記ユーザ端末の現在位置情報を受信し、前記ユーザ端末の現在位置の最寄駅を候補駅として抽出することを特徴とする請求項１乃至３のいずれか１項に記載の経路探索サーバ。
【請求項５】
前記候補停留地抽出部は、前記テキスト内の駅、空港又は港という文字を含む単語と前記停留地情報に含まれる停留地の名称との比較処理を優先して行い、前記候補停留地を抽出することを特徴とする請求項１乃至４のいずれか１項に記載の経路探索サーバ。
【請求項６】
前記停留地情報は、複数の言語による停留地の名称を含むことを特徴とする請求項１乃至５のいずれか１項に記載の経路探索サーバ。
【請求項７】
ネットワークを介してユーザ端末と通信を行い、複数の停留地の名称を含む停留地情報を記憶する停留地情報記憶部を備えた経路探索サーバで実行されるプログラムであって、
前記経路探索サーバを、
前記ユーザ端末から受信した画像の文字認識を行ってテキストを取得する手段と、
前記停留地情報を参照し、前記テキストを名称に含む停留地を候補停留地として抽出する手段と、
前記候補停留地の情報を前記ユーザ端末へ送信する手段と、
前記ユーザ端末から、前記候補停留地が出発地又は到着地として指定され、前記出発地から前記到着地までの交通機関を利用した移動経路の検索要求を受け付け、前記検索要求に基づいて移動経路の検索を行う手段
として機能させることを特徴とするプログラム。
【請求項８】
請求項１乃至６のいずれか１項に記載の経路探索サーバと、
前記経路探索サーバへ画像を送信し、前記経路探索サーバから候補停留地の情報を受信し、前記候補停留地を出発地又は到着地として指定し、前記出発地から前記到着地までの交通機関を利用した移動経路の検索要求を前記経路探索サーバへ送信し、前記経路探索サーバから移動経路の検索結果を受信するユーザ端末と、
を備える経路探索システム。
【請求項９】
ユーザ端末から画像を受信し、前記画像の文字認識を行ってテキストを取得する工程と、
停留地情報記憶部に格納されている複数の停留地の名称を含む停留地情報を参照し、前記テキストを名称に含む停留地を候補停留地として抽出する工程と、
前記候補停留地の情報を前記ユーザ端末へ送信する工程と、
前記ユーザ端末から、前記候補停留地が出発地又は到着地として指定され、前記出発地から前記到着地までの交通機関を利用した移動経路の検索要求を受け付け、前記検索要求に基づいて移動経路の検索を行い、検索結果を前記ユーザ端末へ送信する工程と、
を経路探索サーバが実行することを特徴とする経路探索方法。
【発明の詳細な説明】
【技術分野】
【０００１】
本発明は、経路探索サーバ、プログラム、経路探索システム及び経路探索方法に関する。
【背景技術】
【０００２】
サーバに交通機関の路線や運行時刻データを蓄積し、所望の出発駅から目的駅までの経路（乗車候補列車）を探索し、案内する乗換案内サービスが知られている。経路の探索結果として、早く目的地まで到着する経路、運賃が安くすむ経路、又は、乗換回数が少ない経路等が出力される。
【０００３】
利用者がスマートフォン等を使用して経路を探索する場合、タッチパネルを操作して出発駅や目的駅の駅名を入力する。例えば、駅名の少なくとも一部を平仮名で入力すると、駅名の候補が表示され、候補の中から選択する。しかし、駅名の読み方が分からない場合、駅名を入力することができなかった。また、高齢者等のタッチパネルの操作に不慣れな者は、文字入力自体が困難であった。
【０００４】
外国人観光客向けに、英語等の外国語表記による乗換案内サービスが提供されているが、この場合も、駅名をアルファベット等で入力する必要があり、駅名の綴り（スペル）が分からないと経路探索を行えなかった。
【先行技術文献】
【特許文献】
【０００５】
【特許文献１】特開２００２−１６９９１５号公報
【発明の概要】
【発明が解決しようとする課題】
【０００６】
本発明は、上記従来の実状に鑑みてなされたものであり、経路探索時の交通機関の停留地の名称の入力が容易な経路探索サーバ、プログラム、経路探索システム及び経路探索方法を提供することを課題とする。
【課題を解決するための手段】
【０００７】
本発明による経路探索サーバは、複数の停留地の名称を含む停留地情報を記憶する停留地情報記憶部と、ユーザ端末から受信した画像の文字認識を行ってテキストを取得する文字認識部と、前記停留地情報を参照し、前記テキストを名称に含む停留地を候補停留地として抽出する候補停留地抽出部と、前記候補停留地の情報を前記ユーザ端末へ送信する通信処理部と、前記ユーザ端末から、前記候補停留地が出発地又は到着地として指定され、前記出発地から前記到着地までの交通機関を利用した移動経路の検索要求を受け付け、前記検索要求に基づいて移動経路の検索を行う経路探索部と、を備えるものである。
【０００８】
本発明の一態様において、前記停留地情報は、各停留地に対応付けられた画像データを含み、前記ユーザ端末から受信した画像と、前記画像データとを比較し、類似度を算出する画像比較部をさらに備え、前記候補停留地抽出部は、前記ユーザ端末から受信した画像との類似度が所定値以上の画像データが対応付けられた停留地を候補停留地として抽出する。
【０００９】
本発明の一態様において、前記ユーザ端末から、前記候補停留地のうち出発地又は到着地としてユーザが選択した停留地を示す選択結果を受信し、前記ユーザ端末から受信した前記画像を、ユーザが選択した停留地の前記停留地情報に対応付けて登録する登録部をさらに備える。
【００１０】
本発明の一態様において、前記候補停留地抽出部は、前記ユーザ端末から前記ユーザ端末の現在位置情報を受信し、前記ユーザ端末の現在位置の最寄駅を候補駅として抽出する。
【００１１】
本発明の一態様において、前記候補停留地抽出部は、前記テキスト内の駅、空港又は港という文字を含む単語と前記停留地情報に含まれる停留地の名称との比較処理を優先して行い、前記候補停留地を抽出する。
【００１２】
本発明の一態様において、前記停留地情報は、複数の言語による停留地の名称を含む。
【００１３】
本発明のプログラムは、ネットワークを介してユーザ端末と通信を行い、複数の停留地の名称を含む停留地情報を記憶する停留地情報記憶部を備えた経路探索サーバで実行されるプログラムであって、前記経路探索サーバを、前記ユーザ端末から受信した画像の文字認識を行ってテキストを取得する手段と、前記停留地情報を参照し、前記テキストを名称に含む停留地を候補停留地として抽出する手段と、前記候補停留地の情報を前記ユーザ端末へ送信する手段と、前記ユーザ端末から、前記候補停留地が出発地又は到着地として指定され、前記出発地から前記到着地までの交通機関を利用した移動経路の検索要求を受け付け、前記検索要求に基づいて移動経路の検索を行う手段として機能させるものである。
【００１４】
本発明の経路探索システムは、本発明による経路探索サーバと、前記経路探索サーバへ画像を送信し、前記経路探索サーバから候補停留地の情報を受信し、前記候補停留地を出発地又は到着地として指定し、前記出発地から前記到着地までの交通機関を利用した移動経路の検索要求を前記経路探索サーバへ送信し、前記経路探索サーバから移動経路の検索結果を受信するユーザ端末と、を備えるものである。
【００１５】
本発明の経路探索方法は、ユーザ端末から画像を受信し、前記画像の文字認識を行ってテキストを取得する工程と、停留地情報記憶部に格納されている複数の停留地の名称を含む停留地情報を参照し、前記テキストを名称に含む停留地を候補停留地として抽出する工程と、前記候補停留地の情報を前記ユーザ端末へ送信する工程と、前記ユーザ端末から、前記候補停留地が出発地又は到着地として指定され、前記出発地から前記到着地までの交通機関を利用した移動経路の検索要求を受け付け、前記検索要求に基づいて移動経路の検索を行い、検索結果を前記ユーザ端末へ送信する工程と、を経路探索サーバが実行するものである。
【発明の効果】
【００１６】
本発明によれば、交通機関を用いた経路探索の際に停留地の名称を容易に入力できる。
【図面の簡単な説明】
【００１７】
【図１】本発明の実施形態に係る経路探索システムの概略図である。
【図２】検索画面の一例を示す図である。
【図３】図３ａは駅名を撮影する様子を示す図であり、図３ｂは撮影画面の例を示す図である。
【図４】検索画面の一例を示す図である。
【図５】図５ａは路線図を撮影する様子を示す図であり、図５ｂはガイドブックを撮影する様子を示す図である。
【図６】検索画面の一例を示す図である。
【図７】経路探索システムの機能構成を示すブロック図である。
【図８】駅情報の例を示す図である。
【図９】同実施形態に係る経路探索方法を説明するフローチャートである。
【発明を実施するための形態】
【００１８】
以下、本発明の実施の形態を図面に基づいて説明する。
【００１９】
図１は、本発明の実施形態に係る経路探索システムの概略図である。図１に示すように、経路探索システムは、経路探索サーバ１（以下、サーバ１と記載する）と、ユーザ端末２とを備える。ユーザ端末２は、サーバ１と通信可能な機器であり、例えば、スマートフォンやタブレット端末である。
【００２０】
サーバ１は、インターネットを介してアクセスしてきたユーザ端末２に対して、指定された出発地から目的地までの経路を探索する経路探索サービスを提供するものであり、ユーザ端末２には検索画面が表示される。
【００２１】
例えば、ユーザ端末２のタッチパネルには、図２に示すような検索画面が表示される。検索画面は、出発地入力領域Ｃ１、目的地入力領域Ｃ２、検索条件入力領域Ｔ、検索実行ボタンＢ、画像ボタンＰ１，Ｐ２等を含む。
【００２２】
出発地、目的地には、例えば駅名を入力する。タッチパネル上の出発地入力領域Ｃ１又は目的地入力領域Ｃ２をタッチすると、フリック入力画面が表示され、駅名が入力できる。駅名の一部が入力されると、入力した文字を含む複数の駅名が表示され、その中から駅名を選択してもよい。しかし、この入力方法では、駅名が分からない（読めない）場合に駅名を入力することができない。また、タッチパネルの操作に不慣れなユーザは、駅名の入力が困難である。
【００２３】
本実施形態に係る経路探索システムには、駅名が写った画像を用いて、駅名を入力する機能が設けられている。例えば、検索画面の画像ボタンＰ１を押すと、ユーザ端末２内蔵のカメラで駅名を撮影するか、又はユーザ端末２内に保存されている画像を使用するかの選択画面が表示される。ユーザがカメラ撮影を選択すると、ユーザ端末２のカメラが起動する。
【００２４】
図３ａ、図３ｂに示すように、ユーザは、駅名が表示されている看板３等を撮影する。ユーザ端末２は、撮影した画像をサーバ１へ送信する。
【００２５】
ユーザが、ユーザ端末２内に保存されている画像の使用を選択した場合は、端末内の画像一覧が表示され、ユーザは駅名が写っている画像を選択する。ユーザ端末２は、選択された画像をサーバ１へ送信する。
【００２６】
サーバ１は、ユーザ端末２から受信した画像の解析を行い、文字認識処理により画像内に写っている単語と一致する駅名を検索し、候補駅を抽出する。画像内に「駅」「Ｓｔａｔｉｏｎ」という文字がある場合、「駅」「Ｓｔａｔｉｏｎ」を含む単語を優先して抽出し、駅名を検索する。
【００２７】
例えば、画像内に「駅」という文字が含まれず、“新宿”という単語が含まれている場合、「新宿」「西新宿」「新宿三丁目」「新宿西口」「新宿御苑前」等の“新宿”を含む駅名を駅候補として抽出する。画像内に“新宿駅”という単語が含まれている場合、「新宿」「西新宿」等の“新宿”と“駅”との間に文字が無い駅名を駅候補として抽出する。
【００２８】
サーバ１には、各駅の画像が保存されている。サーバ１は、保存している画像と、ユーザ端末２から受信した画像とを比較・照合し、類似する画像の駅を駅候補として抽出することもできる。
【００２９】
サーバ１は、抽出した駅候補をユーザ端末２へ送信する。ユーザ端末２は、サーバ１から受信した駅候補を表示する。ユーザが、表示された駅候補から出発地の駅名を選択すると、図４に示すように、出発地入力領域Ｃ１に出発駅が入力される。
【００３０】
駅の看板の撮影に限定されず、図５ａに示すように路線図を撮影してもよいし、図５ｂに示すようにガイドブックを撮影してもよい。これにより、現在地から離れた目的駅の駅名も入力できる。
【００３１】
例えば、検索画面の画像ボタンＰ２を押し、路線図やガイドブックを撮影することで、図６に示すように、目的地入力領域Ｃ２に目的駅（到着駅）を入力することができる。
【００３２】
出発駅及び到着駅の入力後、ユーザは、検索条件入力領域Ｔのタブを操作して日時（出発日時、到着日時等）を指定し、検索実行ボタンＢを押す。サーバ１は、検索条件に従って、鉄道を用いて移動する場合の移動経路を検索し、検索結果をユーザ端末２へ送信する。ユーザ端末２は、サーバ１から受信した検索結果を表示する。
【００３３】
このように、本実施形態によれば、駅名をカメラで撮影することで、経路検索画面に出発駅や到着駅の駅名を入力できる。そのため、駅名が分からなかったり読めなかったりする場合や、ユーザ端末の操作に不慣れな場合でも、駅名を容易に入力できる。
【００３４】
次に、経路探索システムを構成するサーバ１及びユーザ端末２についてそれぞれ説明する。
【００３５】
図７に示すように、ユーザ端末２は、制御部２０、操作部２１、表示部２２、撮影部２３、ＧＰＳ受信機２４及び通信部２５を有する。操作部２１は、ユーザから操作を受け付ける。表示部２２は、各種情報を表示する。例えば、操作部２１及び表示部２２はタッチパネルである。撮影部２３は、デジタルカメラである。ＧＰＳ受信機２４は、衛星測位によって現在位置を算出する。通信部２５は、無線通信機能を有する。
【００３６】
制御部２０は、ハードウェアで構成してもよいし、ソフトウェアで構成してもよい。例えば、制御部２０は、コンピュータのＣＰＵ、ＲＡＭ、ＲＯＭなどで構成され、ＲＡＭやＲＯＭ、ハードディスクや半導体メモリ等の記録媒体に記憶されたプログラムが動作することにより実現される。
【００３７】
制御部２０は、通信部２５を介してサーバ１にアクセスし、検索画面を取得して表示部２２に表示する。検索画面の画像ボタンＰ１、Ｐ２が押されると、制御部２０は、撮影部２３で駅名を撮影するか、又はユーザ端末２内に保存されている画像を使用するかの選択画面を表示部２２に表示する。
【００３８】
撮影部２３による駅名撮影が選択された場合、制御部２０は、撮影部２３を起動する。ユーザ端末２内に保存されている画像の使用が選択された場合、制御部２３は、端末内の画像データの一覧画面を表示する。制御部２０は、撮影部２３により撮影された画像、又は端末内の画像から選択された画像を、通信部２５を介してサーバ１へ送信する。制御部２０は、撮影部２３により撮影された画像と共に、ＧＰＳ受信機２４が算出した現在位置情報をサーバ１へ送信してもよい。
【００３９】
制御部２０は、サーバ１から候補駅情報を受信し、表示部２２に表示する。制御部２０は、候補駅の中からユーザが選択した駅名をサーバ１へ通知すると共に、検索画面に入力する。
【００４０】
制御部２０は、検索実行ボタンＢが押されると、検索条件を含む検索要求をサーバ１へ送信する。制御部２０は、サーバ１から経路探索結果を受信し、表示部２２に表示する。
【００４１】
続いて、サーバ１について説明する。図７に示すように、サーバ１は、データベースとして、駅情報記憶部１０Ａ及び経路情報記憶部１０Ｂを有する。また、サーバ１は、通信処理部１１、文字認識部１２、画像比較部１３、候補駅抽出部１４、登録部１５及び経路探索部１６を有する。
【００４２】
通信処理部１１、文字認識部１２、画像比較部１３、候補駅抽出部１４、登録部１５及び経路探索部１６はハードウェアで構成してもよいし、ソフトウェアで構成してもよい。例えば、各部は、コンピュータのＣＰＵ、ＲＡＭ、ＲＯＭなどで構成され、ＲＡＭやＲＯＭ、ハードディスクや半導体メモリ等の記録媒体に記憶されたプログラムが動作することにより実現される。
【００４３】
駅情報記憶部１０Ａは、図８に示すように、各駅について、駅番号、複数の言語による駅名、乗り入れている路線名、写真データ（画像データ）を格納する。例えば駅番号は、英字と数字から構成され、駅を識別するものである。複数の路線がある駅には、複数の駅番号が割り当てられている場合がある。画像データは、事前に駅を撮影したものでもよいし、後述するようにユーザが登録したものでもよい。また、駅情報は、各駅の位置情報を含んでいてもよい。
【００４４】
経路情報記憶部１０Ｂは、出発地から目的地までの移動経路及び利用する交通機関を特定するために必要な経路情報を格納する。例えば、鉄道、バスなどの交通機関の路線、時刻表、料金、乗換可能駅などを含む。
【００４５】
通信処理部１１は、インターネット等のネットワークを介してユーザ端末２と通信を行う。
【００４６】
文字認識部１２は、ＯＣＲ機能によりユーザ端末２から受信した画像を文字認識して、テキストデータを取得する。
【００４７】
画像比較部１３は、ユーザ端末２から受信した画像と、駅情報記憶部１０Ａに格納されている画像（各駅の写真データ）とを比較し、類似度を算出する。類似度の算出方法は特に限定されず、例えば、画像の特徴点を抽出し、画像同士の特徴点をマッチングさせることで、特徴点の一致する度合を類似度として算出する。あるいはまた、画像のカラーヒストグラムを導出し、画像同士のカラーヒストグラムの形状を比較することで、その形状が一致する度合を類似度としてもよい。
【００４８】
候補駅抽出部１４は、駅情報記憶部１０Ａ内の駅情報を検索し、文字認識部１２が抽出したテキスト（単語）を駅名に含む駅を候補駅として抽出する。候補駅抽出部は、画像から抽出したテキストのうち、「駅」という文字を含む単語と、駅情報に含まれる駅名との比較処理を優先して行う。
【００４９】
また、候補駅抽出部１４は、画像比較部１３により算出された類似度が所定値以上の写真データを持つ駅を候補駅として抽出する。抽出された候補駅の情報は、通信処理部１１によりユーザ端末２へ送信される。
【００５０】
登録部１５は、ユーザ端末２から、候補駅の中からユーザが選択した駅の情報を受信すると、選択駅の駅情報に、ユーザ端末２から受信した画像を登録し、駅情報を更新する。
【００５１】
経路探索部１６は、ユーザ端末２からの検索要求に応じ、検索要求に含まれる検索条件に従って、移動経路を１つ以上検索（探索）する。経路探索部１６は、検索結果を示す乗換案内画面を生成する。乗換案内画面は通信処理部１１によりユーザ端末２へ送信される。
【００５２】
次に、この経路探索システムを用いた経路探索方法を、図９に示すフローチャートに沿って説明する。
【００５３】
ユーザがユーザ端末２を用いて、サーバ１が提供する乗換案内サイトにアクセスすると、ユーザ端末２に検索画面が表示される（ステップＳ１，Ｓ２）。
【００５４】
ユーザが、検索画面の画像ボタンＰ１を押し、駅名撮影を選択すると、ユーザ端末２の撮影部２３が起動する。ユーザは、出発駅の駅名を撮影する（ステップＳ３）。例えば、ユーザが出発駅の駅前にいる場合、駅舎の看板を撮影する。
【００５５】
ユーザ端末２は、撮影画像をサーバ１へ送信する（ステップＳ４）。サーバ１は、撮影画像を受信すると、画像の文字認識を行ってテキストデータを取得し、取得したテキストを駅名に含む駅を候補駅として抽出する（ステップＳ５）。また、サーバ１は、保存している駅の画像と、ユーザ端末２から受信した画像とを比較し、類似度の高い画像の駅を候補駅として抽出する。サーバ１は、候補駅情報をユーザ端末２へ送信する（ステップＳ６）。
【００５６】
ユーザは、ユーザ端末２に表示された候補駅から、出発駅を選択する（ステップＳ７）。選択された出発駅が検索画面に反映される。ユーザ端末２は、選択結果をサーバ１へ送信する（ステップＳ８）。
【００５７】
サーバ１は、選択結果を受信すると、選択された駅の駅情報に、ステップＳ４で受信した画像を対応付けて登録し、駅情報を更新する（ステップＳ９）。
【００５８】
ステップＳ３〜Ｓ９と同様の処理で、到着駅の駅名を撮影し、検索画面に入力する（ステップＳ１０〜Ｓ１６）。例えば、路線図やガイドブック内の到着駅名を撮影する。
【００５９】
ユーザが、検索画面の検索条件入力領域Ｔのタブを操作して日時（出発日時、到着日時等）を入力する（ステップＳ１７）。ユーザが検索実行ボタンＢを押すと、ユーザ端末２は、検索条件を含む検索要求をサーバ１へ送信する（ステップＳ１８）。
【００６０】
サーバ１は、検索条件に従って移動経路を検索し、検索結果をユーザ端末２へ送信する（ステップＳ１９，Ｓ２０）。ユーザ端末２は、サーバ１から受信した検索結果を表示する（ステップＳ２１）。
【００６１】
駅名をカメラで撮影することで、経路検索画面に出発駅や到着駅の駅名を入力できるため、駅名が分からなかったり読めなかったりする場合や、ユーザ端末の操作に不慣れな場合でも、駅名を容易に入力できる。駅名の文字入力が不要になるため、例えば、外国人観光客にとって使い勝手の良い乗換検索サービスを提供できる。
【００６２】
上記実施形態において、サーバ１は、ユーザ端末２から撮影画像と共に撮影場所を示す現在位置情報を受信した場合、撮影場所の最寄駅を候補駅として抽出してもよい。
【００６３】
サーバ１は、ユーザ端末２から受信した画像から、１又は２文字の英字と、１又は２桁の数字とが連続した記号を認識した場合、この記号と一致する駅番号の駅を候補駅として抽出してもよい。
【００６４】
上記実施形態では、鉄道の駅名を入力する例について説明したが、鉄道の駅に限定されず、例えば、バスの停留所、飛行機が離発着する空港、船舶が寄港する港など、様々な交通機関の停留地の名称の入力に適用できる。サーバ１には、駅、バス停、空港、港などの各停留地について、複数の言語による名称、交通機関の名称、写真データ（画像データ）を格納する停留地情報記憶部が設けられる
【００６５】
候補駅抽出部１４は、候補停留地抽出部として機能し、文字認識部１２が抽出したテキスト（単語）を名称に含む停留地を候補停留地として抽出する。候補停留地抽出部は、画像から抽出したテキストのうち、「駅」「空港」「港」という文字を含む単語と、停留地情報に含まれる停留地の名称との比較処理を優先して行う。また、候補停留地抽出部は、画像比較部１３により算出された類似度が所定値以上の写真データを持つ停留地を候補停留地として抽出する。抽出された候補停留地の情報は、通信処理部１１によりユーザ端末２へ送信される。
【００６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６７】
１  経路探索サーバ
２  ユーザ端末
１０Ａ  駅情報記憶部
１０Ｂ  経路情報記憶部
１１  通信処理部
１２  文字認識部
１３  画像比較部
１４  候補駅抽出部
１５  登録部
１６  経路探索部
２０  制御部
２１  操作部
２２  表示部
２３  撮影部
２４  ＧＰＳ受信機
２５  通信部
【図１】
2020094982.tif 000003
【図２】
2020094982.tif 000004
【図３】
2020094982.tif 000005
【図４】
2020094982.tif 000006
【図５】
2020094982.tif 000007
【図６】
2020094982.tif 000008
【図７】
2020094982.tif 000009
【図８】
2020094982.tif 000010
【図９】
2020094982.tif 000011